(57)【要約】縫合糸針は、第一端と第二端とを有する縫合糸と、第一端に取り付けられた縫合針とを備え、縫合糸は、第一端と第二端との間に形成されたループと、ループの根元に縫合糸の一部を巻き付けて形成された２個以上のノットとを有し、ノットのうち、最もループ寄りの位置に形成されたノットからループ側に第一端が引き出されている。
2015137269.tif 000002
【特許請求の範囲】
【請求項１】
第一端と第二端とを有する縫合糸と、
前記第一端に取り付けられた縫合針と、
を備え、
前記縫合糸は、
前記第一端と前記第二端との間に形成されたループと、
前記ループの根元に前記縫合糸の一部を巻き付けて形成された２個以上のノットと、を有し、
前記ノットのうち、最も前記ループ寄りの位置に形成されたノットから前記ループ側に前記第一端が引き出されている、縫合糸針。
【請求項２】
前記縫合糸は、前記ノットを３個以上有する、請求項１に記載の縫合糸針。
【請求項３】
前記ノットは、前記ループの根元に前記縫合糸の一部を２周以上巻き付けて形成されている、請求項１または２に記載の縫合糸針。
【発明の詳細な説明】
【技術分野】
【０００１】
本発明は、外科手術等に適用可能な縫合糸針に関する。
本願は、２０１４年３月１１日に、米国に出願された仮出願６１／９５０，８５４に基づき優先権を主張し、その内容をここに援用する。
【背景技術】
【０００２】
従来、外科手術の基本技術として縫合結紮があるが、鉗子や持針器を用いて体内で結び目を作成する場合、この手技の難易度は高く、高い技術と経験が必要である。クリップや縫合結紮器具等が作られ、使用されてはいるが、通常の縫合結紮と同等の効果は得られていないのが現状である。【０００３】
この点に関連して、特許文献１には、不完全な状態に結ばれた外科結び目を予め縫合糸に設けておくことが開示されている。
【先行技術文献】
【特許文献】
【０００４】
【特許文献１】特開平１０−２８６２５８号公報
【発明の概要】
【発明が解決しようとする課題】
【０００５】
しかしながら、特許文献１に記載の縫合糸では、外科結び目を形成すること自体は容易であるものの、縫合に際して組織にかけるテンションの調節などが容易でなく、専用装置を用いた操作が必要となる。【０００６】
上記のような事情を踏まえ、本発明では、専用装置を必要とせず、体腔内の作業のみでも容易に縫合結紮を行え、組織にかけるテンションの調節も容易な縫合糸針を提供することを目的とする。
【課題を解決するための手段】
【０００７】
本発明は、第一端と第二端とを有する縫合糸と、前記第一端に取り付けられた縫合針とを備え、前記縫合糸は、前記第一端と前記第二端との間に形成されたループと、前記ループの根元に前記縫合糸の一部を巻き付けて形成された２個以上のノットとを有し、前記ノットのうち、最も前記ループ寄りの位置に形成されたノットから前記ループ側に前記第一端が引き出されている縫合糸針である。【０００８】
前記縫合糸は、前記ノットを３個以上有してもよい。
また、前記ノットは、前記ループの根元に前記縫合糸の一部を２周以上巻き付けて形成されてもよい。
【発明の効果】
【０００９】
本発明の縫合糸針によれば、専用装置を必要とせず、体腔内の作業のみでも容易に縫合結紮を行え、組織にかけるテンションの調節も容易に行うことができる。
【図面の簡単な説明】
【００１０】
【図１】本発明の第一実施形態に係る縫合糸針の縫合糸の形成時の一過程を示す図である。
【図２】同縫合糸の形成時の一過程を示す図である。
【図３】同縫合糸の形成時の一過程を示す図である。
【図４】同縫合糸の形成時の一過程を示す図である。
【図５】同縫合糸の形成時の一過程を示す図である。
【図６】同縫合糸の形成時の一過程を示す図である。
【図７】同縫合糸の形成時の一過程を示す図である。
【図８】同縫合糸の形成時の一過程を示す図である。
【図９】同縫合糸針を示す図である。
【図１０】同縫合糸針の使用時の一過程を示す図である。
【図１１】本発明の第二実施形態に係る縫合糸針の縫合糸の形成時の一過程を示す図である。
【図１２】同縫合糸の形成時の一過程を示す図である。
【図１３】本発明の第三実施形態に係る縫合糸針を示す図である。
【図１４】同縫合糸針の部分拡大図である。
【図１５】同縫合糸針の使用時の一過程を示す図である。
【図１６】同縫合糸針の使用時の一過程を示す図である。
【図１７】同縫合糸針の使用時の一過程を示す図である。
【図１８】同縫合糸針の使用時の一過程を示す図である。
【図１９】本発明の変形例に係る縫合糸針の部分拡大図である。
【発明を実施するための形態】
【００１１】
本発明の第一実施形態について、図１から図１０を参照して説明する。
本発明の縫合糸針は、縫合糸と、縫合糸の一端に取り付けられた縫合針とを備えている。縫合糸はループを有し、ループの根元に複数のノットが形成されている。以下、予備結び目の形成方法について説明する。
【００１２】
図１に、本発明の縫合糸針の材料となる縫合糸１を示す。縫合糸１は、曲針等の縫合針が取り付けられる第一端１ａと第二端とを有しており、編み込まれたブレード、モノフィラメント、撚糸等の公知の各種のものを適宜選択して用いることができる。図１には第二端を示していないが、第二端側に符号１ｂを付している。
【００１３】
まず、図２に示すように、縫合糸１の中間部分を折り曲げてループ２０を形成する。次に、ループ２０よりも第一端１ａ側の領域を、ループ２０の根元に周回させて輪１１を形成し、輪１１にループ２０側から第一端１ａを通す。その後、輪１１がループ２０から抜けないようにしつつ輪１１を引き絞ると、図３に示すように、ループ２０の根元に第一ノットＫＮ１が形成される。
【００１４】
次に、第一ノットＫＮ１よりも第一端１ａ側の領域を、図４に示すようにループ２０の根元に周回させて輪１２を形成し、輪１２に第二端１ｂ側から第一端１ａを通す。輪１２を第一ノットＫＮ１よりもループ２０寄りに位置させて、ループ２０から抜けないようにしつつ引き絞ると、図５に示すように、ループ２０の根元であって第一ノットＫＮ１よりもループ２０寄りの位置に第二ノットＫＮ２が形成される。
【００１５】
次に、第二ノットＫＮ２よりも第一端１ａ側の領域を、図６に示すようにループ２０の根元に周回させて輪１３を形成し、輪１３にループ２０側から第一端１ａを通す。輪１３を第二ノットＫＮ２よりもループ２０寄りに位置させて、ループ２０から抜けないようにしつつ引き絞ると、図７に示すように、ループ２０の根元であって第二ノットＫＮ２よりもループ２０寄りの位置に第三ノットＫＮ３が形成される。
【００１６】
最後に、第三ノットＫＮ３よりも第一端１ａ側の領域を、図８に示すようにループ２０の根元に周回させて輪１４を形成し、輪１４に第二端１ｂ側から第一端１ａを通す。輪１４を第三ノットＫＮ３よりもループ２０寄りに位置させて、ループ２０から抜けないようにしつつ引き絞ると、図９に示すように、ループ２０の根元であって第三ノットＫＮ３よりもループ２０寄りの位置に第四ノットＫＮ４が形成される。
【００１７】
以上の工程により、第一ノットＫＮ１ないし第四ノットＫＮ４が第二端１ｂ側から順に縫合糸１に形成される。第一ノットＫＮ１ないし第四ノットＫＮ４が形成された縫合糸１の第一端１ａに曲針等の縫合針２を取りつけると、本発明の縫合糸針１００が完成する。縫合糸針１００においては、縫合針２が取り付けられた第一端１ａは、第４ノットＫＮ４からループ２０側に引き出されている。
縫合糸針１００は、外科手術等における組織縫合に使用することができる。縫合針２を組織に通してからループ２０に通すと、図１０に示すように、第一端１ａをループ２０に通すことができる。これにより、結び目を極めて容易に形成することができる。したがって、縫合糸針１００を用いると、鉗子を用いて体内で結び目を作成するような場合でも、高い技術や経験等を必要とせずに効率よく行うことができる。
なお、本発明の縫合糸針を用いた縫合手順の詳細については、後述する。
【００１８】
次に、本発明の第二実施形態について、図１１および図１２を参照して説明する。以降の説明においては、既に説明したものと共通する構成について、同一の符号を付して重複する説明を省略する。
【００１９】
この実施形態では、上述した図１〜図５の操作により第一ノットＫＮ１および第二ノットＫＮ２を形成したのち、再び図４および図５と同様の操作を繰り返して第三ノットＫＮ３を作る。具体的には、第二ノットＫＮ２よりも第一端１ａ側の領域を、図１１に示すようにループ２０の根元に周回させて輪１３を形成し、輪１３に第二端１ｂ側から第一端１ａを通す。輪１３を第二ノットＫＮ２よりもループ２０寄りに位置させて、ループ２０から抜けないようにしつつ引き絞ると、図１２に示すように、ループ２０の根元であって第二ノットＫＮ２よりもループ２０寄りの位置に第三ノットＫＮ３が形成される。その後は、図８〜図１０と同じ操作を行って、第四ノットＫＮ４を形成する。すなわち、この実施形態では、第三ノットを形成する際に輪１３に第一端１ａを通す向きのみが異なっている。
【００２０】
本実施形態によっても、第二実施形態と同様の効果が得られる。また、第二実施形態では、第三ノットＫＮ３からループ２０側に第一端１ａが引き出されるため、第四ノットを形成せずに第一ノットＫＮ１ないし第三ノットＫＮ３の三つのノットを有する構成としてもよい。
【００２１】
次に、本発明の第三実施形態について、図１３から図１８を参照して説明する。
図１３は、本実施形態の縫合糸針２００における縫合糸２０１の全体図であり、図１４は、図１３における範囲Ｒ１の部分拡大図である。図１３および図１４では、ノットの構造を見やすくするため、各ノットを若干緩めた状態で図示している。
【００２２】
図１４に示すように、縫合糸２０１は、第一ノットＫＮ１１、第二ノットＫＮ２１、および第三ノットＫＮ３１の３つのノットを有する。第一ノットＫＮ１１ないし第三ノットＫＮ３１は、第一端２０１ａを通す輪を形成する際に、ループ２０の根元に縫合糸を２周巻き付けている点が上述の実施形態と異なっている。各ノットを形成する際に輪に第一端を通す向きは、第二実施形態の第一ノットＫＮ１ないし第三ノットＫＮ３と同様である。
【００２３】
本発明の縫合糸針を用いた縫合操作の流れについて、本実施形態の縫合糸針２００を用いて説明する。なお、この内容は、上述の各実施形態の縫合糸針についても同様である。
【００２４】
まず使用者は、縫合針２を縫合する組織に掛け、図１５に示すように縫合針２および縫合糸２０１の第一端部２０１ａをループ２０に通す。このとき、腹腔鏡下での手技等で把持鉗子や持針器等の医療機器を用いて行う場合は、縫合針２を把持する医療機器を予めループ２０に通してから縫合針２を把持して行うとよい。すなわち、組織に掛けた縫合針２を医療機器で把持したままループ２０から引き抜くことにより容易に縫合針２をループ２０に通すことができる。
【００２５】
次に、使用者は、第一ノットＫＮ１１の下部を把持鉗子や持針器等で軽く保持し、縫合糸２０１の第二端２０１ｂを引く。すると、図１６に示すようにループ２０が徐々に小さくなり、その後、図１７に示すように、ループ２０が第三ノットＫＮ３１からわずかに突出した第一状態になる。
第一状態では、ループ２０内を通る縫合糸２０１は、ループ２０に対して比較的容易に進退可能である。使用者は、第一状態において縫合糸２０１を適宜ループ２０に対して進退させることにより、縫合する組織に係るテンション等を調節することができる。
【００２６】
テンション等の調節が終わったら、使用者は、第二端２０１ｂをさらに引く。すると、ループ２０が第三ノットＫＮ３１内に後退し、図１８に示すように、ループ（不図示）がノット内に収容された第二状態となる。第二状態では、ループ２０内を通る縫合糸２０１がループ２０に対して進退できないため、組織に掛けられた縫合糸２０１が緩まずに保持される。第二状態にした後、使用者が縫合糸２０１の両端部の余分な部位を切り取って除去すると、単独の結節縫合が完成する。連続縫合を行う場合は、組織に所望の回数第一端２０１ａを掛けた後に、縫合針２および第一端２０１ａをループ２０に通し、その後同様の手順を行えばよい。
【００２７】
以上説明したように、本発明の縫合糸針１および２０１によれば、簡単な操作で上述の第一状態および第二状態を作り出せるため、外科縫合の原則の一つである、「１回目の縛りでは締め過ぎずにテンションを適切に調整し、２回目は適切なテンションで確実に結紮する」という事項を容易に実現することができる。
【００２８】
また、縫合にあたって特別な器具が必要ないため、開腹時はもちろん、腹腔鏡下の手技等においても、公知の把持鉗子や持針器等を用いて容易に縫合を行うことができる。
【００２９】
さらに、縫合時にループ２０に通される縫合糸２０１の第一端２０１ａ側は、最もループ２０寄りの第三ノットＫＮ３１からループ２０側に引き出されている。このため、縫合時に、縫合糸２０１の第一端２０１ａ側が第一ノットＫＮ１１ないし第三ノットＫＮ３１の外面上を通らない。その結果、縫合後における縫合糸の緩みの発生や、組織に不自然な力がかかること等を好適に抑制することができる。
【００３０】
加えて、本実施形態の縫合糸針２００においては、縫合糸２０１をループ２０の根元に２周巻き付けて第一ノットＫＮ１１ないし第三ノットＫＮ３１を形成しているため、ノットが視認しやすく、かつ医療機器で第一ノットＫＮ１１の下部を押さえやすいため操作が容易になる。さらに、一連の操作において各ノットが締まっていき、一連の操作を経た上でループ２０が第三ノットＫＮ３１に引き込まれた際に各ノットが完全に締まることでより確実に結紮が保持されるという利点もある。
なお、ノットは、縫合糸を３周以上巻き付けて形成されてもよい。
【００３１】
以上、本発明の各実施形態について説明したが、本発明の技術範囲は上記実施形態に限定されるものではなく、本発明の趣旨を逸脱しない範囲において構成要素の組み合わせを変えたり、各構成要素に種々の変更を加えたり、削除したりすることが可能である。
【００３２】
例えば、縫合糸に形成するノットの数は上述した実施形態のものに限られず、２個以上であればよい。したがって、ノットは２個でもよいし、５個以上であってもよい。ただし、複数のノットは、最後に形成するノットが最もループ寄りに位置するように順々に形成する。
【００３３】
また、各ノット形成時における、輪へ第一端を通す向きについては、最もループ寄りのノットにおいて第二端側から通しさえすれば、他のノットについては特に制限はない。したがって、最もループ寄りのノット以外のノットに関しては、いずれの方向から縫合糸が通されて形成されても構わないが、以下の態様がより好ましい。
・ノットを２個設ける場合、第一ノット形成時にループ側から通す
・ノットを３個設ける場合、第一ノット形成時にループ側から通す（第二ノットについてはいずれでもよい）
【００３４】
また、ノット形成時に縫合糸を２周以上巻き付ける際の巻き付け方には特に制限はない。図１４では、すべてのノットにおいて縫合糸が第二端２０１ｂ側から順に巻き付けられているが、図１９に示す変形例における第二ノットＫＮ２１および第三ノットＫＮ３１のように、２周目を１周目よりも第二端２０１ｂ側に巻き付ける等により、巻き付けられた縫合糸に交差部分が生じてもよい。このような巻き付け方は、第一ノットＫＮ１１の形成時にも適用可能である。
ノット形成時に縫合糸が上記のように巻き付けられても、本発明の縫合糸針が奏する効果には影響せず、同様の効果を奏する。
【００３５】
さらに、使用する縫合糸は、所定の期間経過すると消失する生分解性のものでも、消失しない非生分解性のものでもいずれでもよい。生分解性のものとしては、例えばポリグリコール酸（ＰＧＡ）を材料とするもの等が挙げられる。
【００３６】
加えて、本発明の縫合針糸において、ノットは、完全に締め込まれて形成されなくてもよい。したがって、所定の結びが縫合糸に形成されてさえいればよく、少し緩んだ状態であると、縫合結紮手技が行いやすくなり、好ましい。
このような少し緩んだ状態のノットを、本明細書ではプリメードノット（Pre-made knot）と称する。プリメードノットは、完全に結び目が締められていないため操作が容易であり、一連の操作の中で各ノットの締め具合を使用者が調整することができる。また、使用者が術野から視線をはずすことなく体腔内で全ての操作を完結させる体腔内結紮が実現できる。体腔内での操作は一般的な鉗子と持針器のみで行うことができ、専用装置は必要ない。さらに、組織にかけるテンションを自由に調節でき、縫合結紮の方向も制限されない。 
これに対し、特許文献１に記載の縫合糸では、既に締められた状態の結び目を使用するため、結び目に対して容易に糸を滑らすことができない。また、結び目がそれ以上に締まることはないため、組織にかけるテンションの調節は容易ではない。また、体内から体外へ交通した専用装置を体外から操作することとなり、操作中に使用者は一度完全に視線を術野から外して体外結紮を行う必要がある。したがって、体腔内結紮が実現できない。
【００３７】
本発明の縫合糸針は、体外外科結紮手技の原則である、
ａ．迅速に結紮する(tie fast)
ｂ．組織を強く引っ張らない(Don't pull too much)
ｃ．指で結び目を固定する(Finger on the knot)
ｄ．１回目はそっと締め、２回目で必要な強さでしっかり締め込む(Second knot is most important)
ｅ．糸から手を離さずに (Don't drop the suture)
の５点を体腔内結紮においても容易に実現することができるものであるが、ノットをプリメードノットとすることでその効果はさらに顕著なものになる。また、本発明の縫合糸針は、体腔内結紮に好適に使用できるものであるが、体腔外で縫合結紮を行う際にも好適に使用可能である。
【産業上の利用可能性】
【００３８】
本発明は、医療用の縫合糸針に適用することができる。
【符号の説明】
【００３９】
１、２０１  縫合糸
１ａ、２０１ａ  第一端
１ｂ、２０１ｂ  第二端
２  縫合針
２０  ループ
１００、２００  縫合糸針
ＫＮ１、ＫＮ１１  第一ノット（ノット）
ＫＮ２、ＫＮ２１  第二ノット（ノット）
ＫＮ３、ＫＮ３１  第三ノット（ノット）
ＫＮ４  第四ノット（ノット）
【図１】
2015137269.tif 000003
【図２】
2015137269.tif 000004
【図３】
2015137269.tif 000005
【図４】
2015137269.tif 000006
【図５】
2015137269.tif 000007
【図６】
2015137269.tif 000008
【図７】
2015137269.tif 000009
【図８】
2015137269.tif 000010
【図９】
2015137269.tif 000011
【図１０】
2015137269.tif 000012
【図１１】
2015137269.tif 000013
【図１２】
2015137269.tif 000014
【図１３】
2015137269.tif 000015
【図１４】
2015137269.tif 000016
【図１５】
2015137269.tif 000017
【図１６】
2015137269.tif 000018
【図１７】
2015137269.tif 000019
【図１８】
2015137269.tif 000020
【図１９】
2015137269.tif 000021
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
第一端と第二端とを有する縫合糸と、
前記第一端に取り付けられた縫合針と、
を備え、
前記縫合糸は、
前記第一端と前記第二端との間に形成されたループと、
前記ループの根元に前記縫合糸の一部を巻き付けて形成した輪に前記縫合糸を通すことにより形成された２個以上の結び目と、を有し、
前記結び目のうち、最も前記ループ寄りの位置に形成された結び目から前記ループ側に前記第一端が引き出されている、縫合糸針。
【請求項２】
前記縫合糸は、前記結び目を３個以上有する、請求項１に記載の縫合糸針。
【請求項３】
前記結び目は、前記ループの根元に前記縫合糸の一部を２周以上巻き付けて形成されている、請求項１または２に記載の縫合糸針。
【請求項４】
前記結び目は、前記ループから遠いものから順に形成されている、請求項２に記載の縫合糸針。
【請求項５】
前記結び目のうち前記ループから最も離れた結び目は、前記輪に前記ループ側から前記縫合糸が通されて形成されている、請求項４に記載の縫合糸針。
【手続補正２】
【補正対象書類名】明細書
【補正対象項目名】０００２
【補正方法】変更
【補正の内容】
【０００２】
されたループと、前記ループの根元に前記縫合糸の一部を巻き付けて形成した輪に前記縫合糸を通すことにより形成された２個以上の結び目とを有し、前記結び目のうち、最も前記ループ寄りの位置に形成された結び目から前記ループ側に前記第一端が引き出されている縫合糸針である。
［０００８］
前記縫合糸は、前記結び目を３個以上有してもよい。
また、前記結び目は、前記ループの根元に前記縫合糸の一部を２周以上巻き付けて形成されてもよい。
発明の効果
［０００９］
本発明の縫合糸針によれば、専用装置を必要とせず、体腔内の作業のみでも容易に縫合結紮を行え、組織にかけるテンションの調節も容易に行うことができる。
図面の簡単な説明
［００１０］
［図１］本発明の第一実施形態に係る縫合糸針の縫合糸の形成時の一過程を示す図である。
［図２］同縫合糸の形成時の一過程を示す図である。
［図３］同縫合糸の形成時の一過程を示す図である。
［図４］同縫合糸の形成時の一過程を示す図である。
［図５］同縫合糸の形成時の一過程を示す図である。
［図６］同縫合糸の形成時の一過程を示す図である。
［図７］同縫合糸の形成時の一過程を示す図である。
［図８］同縫合糸の形成時の一過程を示す図である。
［図９］同縫合糸針を示す図である。
［図１０］同縫合糸針の使用時の一過程を示す図である。
［図１１］本発明の第二実施形態に係る縫合糸針の縫合糸の形成時の一過程を示す図である。
［図１２］同縫合糸の形成時の一過程を示す図である。
［図１３］本発明の第三実施形態に係る縫合糸針を示す図である。
［図１４］同縫合糸針の部分拡大図である。
【国際調査報告】
2015137269.tif 000022
2015137269.tif 000023
2015137269.tif 000024
2015137269.tif 000025